(57)【要約】【課題】ユーザ装置がデータの送信を開始する際の遅延時間を低減する。【解決手段】基地局１４は、複数のグループの何れかのグループに属し、かつ定期的にデータを送信する複数のユーザ装置それぞれからのデータの送信タイミングを、同じグループに属するユーザ装置の送信タイミングが所定の時間範囲内となるように、グループ毎にスケジューリングするスケジューリング部３６と、スケジューリング部３６によるスケジューリングに従った送信タイミングでのデータの送信指示を示す指示情報を前記複数のユーザ装置に送信する第２送信部４２と、を含む。【選択図】図６
2018191110.tif 000002
【特許請求の範囲】
【請求項１】
複数のグループの何れかのグループに属し、かつ定期的にデータを送信する複数のユーザ装置それぞれからのデータの送信タイミングを、同じグループに属するユーザ装置の送信タイミングが所定の時間範囲内となるように、グループ毎にスケジューリングするスケジューリング部と、
前記スケジューリング部によるスケジューリングに従った送信タイミングでのデータの送信指示を示す指示情報を前記複数のユーザ装置に送信する送信部と、
を含む基地局。
【請求項２】
前記送信部は、自基地局に接続するユーザ装置との無線通信の接続を解放する際に前記解放対象とするユーザ装置に前記指示情報を送信する、
請求項１に記載の基地局。
【請求項３】
過去にユーザ装置から送信されたデータの最大サイズから、定期的なデータの送信に必要なリソースブロックの数を算出する算出部、
を更に含み、
前記スケジューリング部は、前記算出部により算出されたリソースブロックの数以上のリソースブロックの空きがあるサブフレームのうち、同じグループに属するユーザ装置に対してデータの送信タイミングの差が最小となるサブフレームを割り当てる、
請求項１又は請求項２に記載の基地局。
【請求項４】
前記スケジューリング部は、ユーザ装置から送信されたユーザ装置が属するグループを識別するための識別情報、定期的なデータの送信周期、及び定期的に送信するデータのサイズに基づいてスケジューリングを行う、
請求項１から請求項３の何れか１項に記載の基地局。
【請求項５】
複数のグループの何れかのグループに属し、かつ定期的にデータを送信する複数のユーザ装置それぞれからのデータの送信タイミングを、同じグループに属するユーザ装置の送信タイミングが所定の時間範囲内となるように、グループ毎にスケジューリングし、
前記スケジューリングに従った送信タイミングでのデータの送信指示を示す指示情報を前記複数のユーザ装置に送信する、
処理を基地局が実行する通信方法。
【請求項６】
複数のグループの何れかのグループに属し、かつ定期的にデータを送信する複数のユーザ装置それぞれからのデータの送信タイミングを、同じグループに属するユーザ装置の送信タイミングが所定の時間範囲内となるように、グループ毎にスケジューリングするスケジューリング部と、前記スケジューリング部によるスケジューリングに従った送信タイミングでのデータの送信指示を示す指示情報を前記複数のユーザ装置に送信する送信部と、を含む基地局、及び
前記基地局から送信された指示情報を受信する受信部と、前記受信部により受信された指示情報に従った送信タイミングで前記データを前記基地局に送信する送信部と、を含むユーザ装置、
を備えた通信システム。
【発明の詳細な説明】
【技術分野】
【０００１】
開示の技術は、基地局、通信方法、及び通信システムに関する。
【背景技術】
【０００２】
従来、スマートメーター等の端末装置が、測定した測定データを定期的にデータ収集センタに送信する技術が提案されている。この技術では、端末装置をグループ単位で管理し、各グループの親機の端末装置が、子機の端末装置により測定された測定データをまとめてデータ収集センタに送信する。
【０００３】
また、基地局が、端末装置から送信された情報を端末装置の状態の履歴を管理する状態履歴テーブルに記憶する技術が提案されている。この技術では、基地局が、端末装置から送信された情報と状態履歴テーブルに記憶された情報との差分情報を抽出し、抽出した差分情報をグループ毎にまとめて業務サーバに送信する。
【先行技術文献】
【特許文献】
【０００４】
【特許文献１】特開２００２−２１８０８０号公報
【特許文献２】特開２００７−４３２７７号公報
【発明の概要】
【発明が解決しようとする課題】
【０００５】
第５世代（５Ｇ）の移動通信システムでは、例えば、高度道路交通システム及びIndustrial Control System等の低遅延性の高いネットワークが要求される。これに対し、ユーザ装置がデータを送信する場合、ユーザ装置毎にデータの送信要求を基地局へ送信し、基地局で上りのデータ送信のスケジューリングがされた後、ユーザ装置がデータの送信を開始する。従って、ユーザ装置がデータの送信を開始する際の遅延が大きくなるという問題点があった。
【０００６】
しかしながら、前述したユーザ装置をグループ毎に管理する技術では、ユーザ装置がデータの送信を開始する際の遅延時間については考慮されていない。
【０００７】
開示の技術は、一つの側面として、ユーザ装置がデータの送信を開始する際の遅延時間を低減することを目的とする。
【課題を解決するための手段】
【０００８】
開示の技術は、一つの態様として、基地局は、複数のグループの何れかのグループに属し、かつ定期的にデータを送信する複数のユーザ装置それぞれからのデータの送信タイミングを、以下に示すようにスケジューリングする。すなわち、基地局は、同じグループに属するユーザ装置の送信タイミングが所定の時間範囲内となるように、グループ毎にスケジューリングする。そして、基地局は、前記スケジューリングに従った送信タイミングでのデータの送信指示を示す指示情報を前記複数のユーザ装置に送信する。
【発明の効果】
【０００９】
一つの側面として、ユーザ装置がデータの送信を開始する際の遅延時間を低減することができる、という効果を有する。
【図面の簡単な説明】
【００１０】
【図１】データの送信開始時の手順の説明対象とする通信システムの概略構成を示すブロック図である。
【図２】データの送信開始時の手順の一例を示すシーケンス図である。
【図３】各実施形態に係る通信システムの概略構成を示すブロック図である。
【図４】各実施形態に係る制御装置の機能ブロック図である。
【図５】第１実施形態に係るＵＥ管理テーブルの一例を示す図である。
【図６】第１実施形態に係る基地局の機能ブロック図である。
【図７】予約テーブルの一例を示す図である。
【図８】データ管理テーブルの一例を示す図である。
【図９】各実施形態に係るユーザ装置に割り当てられるリソースを説明するための図である。
【図１０】データの送信指示を示す指示情報に含まれる情報を説明するための図である。
【図１１】第１実施形態に係るユーザ装置の機能ブロック図である。
【図１２】各実施形態に係る制御装置のハードウェア構成を示すブロック図である。
【図１３】各実施形態に係る基地局のハードウェア構成を示すブロック図である。
【図１４】各実施形態に係るユーザ装置のハードウェア構成を示すブロック図である。
【図１５】第１実施形態に係るユーザ装置と基地局と制御装置との間での情報の送受信の流れの一例を示すシーケンス図である。
【図１６】第１実施形態に係る周期送信処理の一例を示すフローチャートである。
【図１７】第１実施形態に係るスケジューリング処理の一例を示すフローチャートである。
【図１８】各実施形態に係るデータ記憶処理の一例を示すフローチャートである。
【図１９】各実施形態に係るデータ送信処理の一例を示すフローチャートである。
【図２０】第１実施形態に係る無線通信の接続解放時及びデータ送信時の手順の一例を示すシーケンス図である。
【図２１】第２実施形態に係るユーザ装置の機能ブロック図である。
【図２２】第２実施形態に係る基地局の機能ブロック図である。
【図２３】第２実施形態に係るＵＥ管理テーブルの一例を示す図である。
【図２４】第２実施形態に係るユーザ装置と基地局との間での情報の送受信の流れの一例を示すシーケンス図である。
【図２５】第２実施形態に係るスケジューリング処理の一例を示すフローチャートである。
【発明を実施するための形態】
【００１１】
以下、図面を参照して、開示の技術の実施形態の例を詳細に説明する。
【００１２】
［参考例］
実施形態の詳細を説明する前に、ユーザ装置（ＵＥ：User Equipment）が定期的にデータを基地局に送信する場合の参考例を説明する。図１は、通信システムの一例であり、図２は、データの送信開始時の手順を示すシーケンスの一例である。なお、ユーザ装置は、無線端末、もしくは単に端末とも呼ばれる。
【００１３】
図１に示すように、ユーザ装置は基地局へ無線通信によってデータを送信し、基地局はユーザ装置から送信されたデータを、コアネットワークを介してデータを管理する管理サーバへ送信する。この場合のユーザ装置が基地局にデータの送信を開始するまでの処理シーケンスの一例を図２に示す。なお、ここでは、ユーザ装置が、各種センサ等で測定された情報を送信するための装置であるMachine Type Communication（ＭＴＣ）のためにLong Term Evolution（ＬＴＥ）規格で定められたカテゴリ０に属する装置である場合について説明する。
【００１４】
図２に示すように、ユーザ装置は、データの送信時刻になると電源がオン状態となる、もしくはスリープ状態から復帰する。次に、ユーザ装置は、セルサーチを行い、無線フレームのタイミングを合わせてセルを識別し、報知情報に基づいてシステムの帯域幅及びアンテナ構成等の情報を取得する。
【００１５】
ユーザ装置及び基地局は、ユーザ装置が取得した情報に基づいて、Random Access手順（RACH Preamble及びRACH Preamble Responseの送受信）を行い、基地局がRadio Network Temporary Identifier（RNTI）を払い出す。Random Access手順が完了すると、ユーザ装置は、基地局に対してRRC Connection Requestを送信し、その応答として基地局から送信されたRRC Connection Setupを受信する。
【００１６】
ユーザ装置が、RRC Connection Setupを受信した後に、C-Planeメッセージを送信する場合は、以下に示す処理を行うこととなる。すなわち、この場合、ユーザ装置は、Physical Uplink Control Channel（PUCCH）上で上り信号の送信要求であるScheduling Request（SR）を送信し、Physical Uplink Shared Channel（PUSCH）上でC-Planeメッセージを送信することとなる。そして、送信対象のデータは、UPLOAD情報（U-Plane）にて基地局に送信される。なお、図２における「☆」はPUCCH上の通信を表し、「★」はPUSCH上の通信を表す。すなわち、図２に示した処理シーケンスでは、データの送信タイミングが到来してからユーザ装置がデータを送信するまでに、PUCCH上の通信が５回必要であり、PUSCH上の通信が７回必要である。
【００１７】
従って、多数のユーザ装置が基地局にユーザデータを送信する場合に、各ユーザ装置と基地局との間で図２に示す処理シーケンスが実行されるため、データの送信を開始するまでの遅延時間が増大することとなる。そこで、以下の実施形態では、カテゴリ０に属するユーザ装置のデータの送信周期及び送信先がほぼ固定されることに着目し、ユーザ装置と基地局との間の無線接続の確立手順を簡略化する。これにより、以下の実施形態では、ユーザ装置がデータの送信を開始する際の遅延時間を低減することを目的とする。
【００１８】
［第１実施形態］
本実施形態では、開示の技術を、ガス、電気、及び水道等のメーターからデータを収集する場合等、システムの提供者がデータの送信周期及びサイズ等を決定可能な通信システムに適用した形態例を説明する。
【００１９】
まず、図３を参照して、本実施形態に係る通信システム１０の構成を説明する。図３に示すように、通信システム１０は、コアネットワークＮ上に設けられた制御装置１２、アンテナ素子１５を備えた基地局１４、及び複数のユーザ装置１６Ａ〜１６Ｄを含む。なお、ユーザ装置１６Ａ〜１６Ｄを区別せずに総称する場合は、符号の末尾のアルファベットを省略する。また、制御装置１２の例としては、Mobility Management Entity（ＭＭＥ）及びServing-Gateway（S-GW）等が挙げられる。
【００２０】
また、通信システム１０は、各ユーザ装置１６が送信する送信対象のデータ（以下、「送信データ」という）の送信先である管理サーバ１８を更に含む。なお、管理サーバ１８の例としては、サーバコンピュータ等の情報処理装置が挙げられる。基地局１４と各ユーザ装置１６は無線によって接続され、基地局１４と制御装置１２、及び制御装置１２と管理サーバ１８は、コアネットワークＮを介して接続される。また、各ユーザ装置１６は、グループに属し、かつ定期的にデータを送信する。図３では、ユーザ装置１６Ａ、１６Ｃが「グループ１」に属し、ユーザ装置１６Ｂ、１６Ｄが「グループ２」に属する例を示している。
【００２１】
次に、図４を参照して、本実施形態に係る制御装置１２の機能的な構成を説明する。図４に示すように、制御装置１２は、受信部２０、判定部２２、及び送信部２４を含む。制御装置１２の所定の記憶領域には、ＵＥ管理テーブル２６が記憶される。
【００２２】
図５に、ＵＥ管理テーブル２６の一例を示す。図５に示すように、ＵＥ管理テーブル２６には、ＵＥＩＤ、グループＩＤ、フレーム周期、及びサイズが記憶される。ＵＥＩＤ列には、ユーザ装置１６を識別するための識別情報が記憶される。グループＩＤ列には、ユーザ装置１６が属するグループを識別するための識別情報が記憶される。フレーム周期列には、グループ毎にグループに属するユーザ装置１６が送信データを送信する際のフレーム周期が記憶される。例えば、フレーム周期が「１」のグループに属するユーザ装置１６は、毎フレーム送信データを送信し、フレーム周期が「５」のグループに属するユーザ装置１６は、５フレームに１回送信データを送信する。サイズ列には、ユーザ装置１６が送信する送信データのサイズが記憶される。フレーム周期及びサイズは、例えば、グループ毎の契約内容等に従って定められた値が記憶される。
【００２３】
受信部２０は、ユーザ装置１６から基地局１４を経由して送信された位置登録要求を受信する。判定部２２は、受信部２０により受信された位置登録要求に含まれるユーザ装置１６の識別情報が、ＵＥ管理テーブル２６のＵＥＩＤ列に記憶されているか否かを判定する。そして、判定部２２は、ユーザ装置１６の識別情報がＵＥＩＤ列に記憶されていると判定した場合、ユーザ装置１６の識別情報に対応して記憶されているグループの識別情報、フレーム周期、及び送信データのサイズをＵＥ管理テーブル２６から抽出する。
【００２４】
送信部２４は、判定部２２により抽出されたグループの識別情報、フレーム周期、及び送信データのサイズを基地局１４に送信する。
【００２５】
次に、図６を参照して、本実施形態に係る基地局１４の機能的な構成を説明する。図６に示すように、基地局１４は、第１送信部３０、第１受信部３２、算出部３４、スケジューリング部３６、第２受信部３８、基地局制御部４０、及び第２送信部４２を含む。基地局１４の所定の記憶領域には、ユーザ装置１６毎に割り当てられたアップリンクのリソースに関する情報が記憶される予約テーブル４４、及び送信データが一時的に記憶されるデータ管理テーブル４６が記憶される。
【００２６】
図７に、予約テーブル４４の一例を示す。図７に示すように、予約テーブル４４には、セルＩＤ、フレーム周期、フレーム番号、サブフレーム番号、リソースブロック（ＲＢ）番号、ＵＥＩＤ、及びグループＩＤが記憶される。セルＩＤ列には、基地局１４がカバーするエリアを識別する識別情報が記憶される。フレーム周期列には、グループ毎にグループに属するユーザ装置１６が送信データを送信する際のフレーム周期が記憶される。フレーム番号列には、次回にユーザ装置１６が送信データを送信する際に用いられるフレームの番号が記憶される。サブフレーム番号列には、ユーザ装置１６に割り当てられたサブフレームの番号が記憶される。ＲＢ番号列には、ユーザ装置１６に割り当てられたリソースブロックの番号が記憶される。ＵＥＩＤ列には、ユーザ装置１６を識別するための識別情報が記憶される。グループＩＤ列には、ユーザ装置１６が属するグループを識別するための識別情報が記憶される。
【００２７】
図８に、データ管理テーブル４６の一例を示す。図８に示すように、データ管理テーブル４６には、ＵＥＩＤ、グループＩＤ、受信日時、及び送信データが記憶される。ＵＥＩＤ列には、ユーザ装置１６を識別するための識別情報が記憶される。グループＩＤ列には、ユーザ装置１６が属するグループを識別するための識別情報が記憶される。受信日時列には、ユーザ装置１６から送信された送信データを基地局１４が受信した日時が記憶される。送信データ列には、ユーザ装置１６から送信された送信データが記憶される。
【００２８】
第１送信部３０は、ユーザ装置１６から送信された位置登録要求を制御装置１２に送信する。なお、以下では、錯綜を回避するために、位置登録要求の送信元のユーザ装置１６を「処理対象ユーザ装置１６」という。また、第１送信部３０は、管理サーバ１８から送信された送信データの取得要求に含まれるグループの識別情報が示すグループの送信データをまとめて圧縮して管理サーバ１８に送信する。本実施形態では、第１送信部３０は、取得要求に含まれるグループの識別情報が示すグループに対応付けられてデータ管理テーブル４６の送信データ列に記憶された送信データを取得する。そして、第１送信部３０は、取得した送信データをまとめて圧縮して管理サーバ１８に送信する。
【００２９】
第１受信部３２は、第１送信部３０により送信された位置登録要求に応じて制御装置１２から送信されたグループの識別情報、フレーム周期、及び送信データのサイズを受信する。また、第１受信部３２は、管理サーバ１８から送信された送信データの取得要求を受信する。
【００３０】
算出部３４は、第１受信部３２により受信された送信データのサイズに基づいて、送信データの送信に必要なリソースブロックの数（以下、「ＲＢ数」という）を算出する。スケジューリング部３６は、グループ毎に、グループ内のユーザ装置１６の送信データの送信タイミングを所定の時間範囲内（例えば、同じフレーム内のサブフレーム）にスケジューリングする。本実施形態では、スケジューリング部３６は、グループ毎に、グループ内のユーザ装置１６の送信データの送信タイミングの差が最小となるようにスケジューリングを行う。
【００３１】
具体的には、スケジューリング部３６は、第１受信部３２により受信されたグループ（すなわち、処理対象ユーザ装置１６が属するグループ）の識別情報が、予約テーブル４４のグループＩＤ列に記憶されていない場合、以下に示す処理を行う。すなわち、この場合、スケジューリング部３６は、算出部３４により算出されたＲＢ数以上のリソースブロックの空きがあるサブフレームのうち、使用可能な最も小さい番号のフレーム及びサブフレームを、処理対象ユーザ装置１６に割り当てる。さらに、スケジューリング部３６は、割り当てたサブフレーム内の空いている、算出部３４により算出されたＲＢ数のリソースブロックを処理対象ユーザ装置１６に割り当てる。なお、この場合、スケジューリング部３６は、最も小さい番号のサブフレームではなく、グループ毎に優先して割り当てるサブフレームの番号を予め定めておき、予め定めたサブフレームの番号のサブフレームを処理対象ユーザ装置１６に割り当ててもよい。
【００３２】
一方、スケジューリング部３６は、第１受信部３２により受信されたグループの識別情報が、予約テーブル４４のグループＩＤ列に記憶されている場合、以下に示す処理を行う。すなわち、この場合、スケジューリング部３６は、予約テーブル４４から第１受信部３２により受信されたグループの識別情報に対応するフレーム周期、フレームの番号、及びサブフレームの番号を抽出する。そして、スケジューリング部３６は、抽出したフレーム周期のフレーム内における抽出したサブフレームの番号のサブフレームに、算出部３４により算出されたＲＢ数以上のリソースブロックの空きがある場合、以下に示す処理を行う。すなわち、この場合、スケジューリング部３６は、抽出したサブフレームの番号のサブフレームの空いている、算出部３４により算出されたＲＢ数のリソースブロックを処理対象ユーザ装置１６に割り当てる。
【００３３】
また、スケジューリング部３６は、抽出したフレーム周期のフレーム内における抽出したサブフレームの番号のサブフレームに、算出部３４により算出されたＲＢ数以上のリソースブロックの空きがない場合、以下に示す処理を行う。すなわち、この場合、スケジューリング部３６は、ＲＢ数以上のリソースブロックの空きがあるサブフレームのうち、抽出したサブフレームの番号に最も近い番号のサブフレームを割り当てる。
【００３４】
そして、スケジューリング部３６は、セルＩＤ、第１受信部３２により受信されたフレーム周期、割り当てたフレームの番号、割り当てたサブフレームの番号、及び割り当てたリソースブロックの番号を対応付けて予約テーブル４４に記憶する。さらに、スケジューリング部３６は、処理対象ユーザ装置１６の識別情報、及び第１受信部３２により受信されたグループの識別情報も対応付けて予約テーブル４４に記憶する。
【００３５】
以上のスケジューリング部３６によるスケジューリングにより、一例として図９に示すように、同じグループに属するユーザ装置１６（図９の例では「ＵＥＡ」と「ＵＥＣ」、及び「ＵＥＢ」と「ＵＥＤ」）は、同じサブフレームのリソースブロックが割り当てられる。また、同じサブフレームに空きがない場合でも、最も近い番号のサブフレームのリソースブロックがユーザ装置１６に割り当てられる。
【００３６】
第２受信部３８は、アンテナ素子１５を介してアナログ信号を受信する。また、第２受信部３８は、受信したアナログ信号をベースバンド信号の周波数帯に変換する処理、及び周波数変換により得られたベースバンド信号に対して復調を行ってデータを抽出する処理等の受信信号処理を行う。そして、第２受信部３８は抽出したデータを基地局制御部４０に出力する。
【００３７】
基地局制御部４０は、処理対象ユーザ装置１６との無線通信の接続を開放する際に、スケジューリング部３６によるスケジューリングに従った送信タイミングでのデータの送信指示を示す指示情報を生成する。本実施形態では、基地局制御部４０は、予約テーブル４４を参照し、指示情報に、処理対象ユーザ装置１６に対応するフレーム周期、フレームの番号、サブフレームの番号、及びリソースブロックの番号を含める。また、基地局制御部４０は、指示情報に、Modulation and channel Coding Scheme（ＭＣＳ）、及び無線通信に必要な他の無線設定情報を含める。なお、この無線設定情報の例としては、処理対象ユーザ装置１６が送信データを送信する際の送信電力等が挙げられる。そして、基地局制御部４０は、RRC Connection Releaseを送信する際に、生成した指示情報を第２送信部４２に出力する。従って、一例として図１０に示すように、本実施形態では、基地局１４が無線通信の接続を開放する際に、フレーム周期、フレームの番号、サブフレームの番号、リソースブロックの番号、ＭＣＳ、及び無線設定情報が追加された情報がユーザ装置１６に送信される。
【００３８】
また、基地局制御部４０は、ユーザ装置１６から送信された送信データを第２受信部３８が受信することによって第２受信部３８から入力された送信データを、送信元のユーザ装置１６の識別情報と対応付けてデータ管理テーブル４６に記憶する。さらに、基地局制御部４０は、送信元のユーザ装置１６が属するグループの識別情報、及び送信データを第２受信部３８が受信した受信日時も対応付けてデータ管理テーブル４６に記憶する。
【００３９】
第２送信部４２は、基地局制御部４０から入力された情報に対して変調を行ってベースバンド信号を生成する処理、及び生成したベースバンド信号をRadio Frequency（ＲＦ）帯の周波数へ変換する処理等の送信信号処理を行う。そして、第２送信部４２は、送信信号処理により得られたアナログ信号を、アンテナ素子１５を介してユーザ装置１６に送信する。
【００４０】
次に、図１１を参照して、本実施形態に係るユーザ装置１６の機能的な構成を説明する。図１１に示すように、ユーザ装置１６は、受信部５２、端末制御部５４、及び送信部５６を含む。ユーザ装置１６の所定の記憶領域には、接続確立情報５８が記憶される。
【００４１】
受信部５２は、アンテナ素子５０を介してアナログ信号を受信する。また、受信部５２は、受信したアナログ信号をベースバンド信号の周波数帯に変換する処理、及び周波数変換により得られたベースバンド信号に対して復調を行ってデータを抽出する処理等の受信信号処理を行う。そして、受信部５２は抽出したデータを端末制御部５４に出力する。
【００４２】
端末制御部５４は、受信部５２が基地局１４から無線通信の接続を開放する際に送信された上記指示情報を受信することによって受信部５２から入力された指示情報に含まれる以下の各種情報を接続確立情報５８として記憶する。すなわち、この場合、端末制御部５４は、指示情報に含まれるフレーム周期、フレームの番号、サブフレームの番号、リソースブロックの番号、ＭＣＳ、及び無線設定情報を接続確立情報５８として記憶する。
【００４３】
また、端末制御部５４は、接続確立情報５８に含まれる各種情報に従った送信タイミングで、送信データを定期的に送信部５６に出力する。
【００４４】
送信部５６は、端末制御部５４から入力された情報に対して変調を行ってベースバンド信号を生成する処理、及び生成したベースバンド信号をＲＦ帯の周波数へ変換する処理等の送信信号処理を行う。そして、送信部５６は、送信信号処理により得られたアナログ信号を、アンテナ素子５０を介して基地局１４に送信する。
【００４５】
次に、図１２を参照して、制御装置１２のハードウェア構成を説明する。図１２に示すように、制御装置１２は、Central Processing Unit（ＣＰＵ）６１、一時記憶領域としてのメモリ６２、及び不揮発性の記憶部６３を備える。また、制御装置１２は、コアネットワークＮに接続されるネットワークＩ／Ｆ６５を備える。ＣＰＵ６１、メモリ６２、記憶部６３、及びネットワークＩ／Ｆ６５は、バス６６を介して互いに接続される。
【００４６】
記憶部６３は、Hard Disk Drive（ＨＤＤ）、Solid State Drive（ＳＳＤ）、フラッシュメモリ等によって実現することができる。記憶媒体としての記憶部６３には、装置制御プログラム７０が記憶される。また、記憶部６３は、ＵＥ管理テーブル２６が記憶される情報記憶領域７１を有する。ＣＰＵ６１は、装置制御プログラム７０を記憶部６３から読み出してメモリ６２に展開して実行する。ＣＰＵ６１が、装置制御プログラム７０を実行することによって、図４に示す受信部２０、判定部２２、及び送信部２４として機能する。
【００４７】
また、装置制御プログラム７０により実現される機能は、例えば半導体集積回路、より詳しくはApplication Specific Integrated Circuit（ＡＳＩＣ）等で実現することも可能である。
【００４８】
次に、図１３を参照して、基地局１４のハードウェア構成を説明する。図１３に示すように、基地局１４は、ＣＰＵ８１、一時記憶領域としてのメモリ８２、及び不揮発性の記憶部８３を備える。また、基地局１４は、コアネットワークＮに接続されるネットワークＩ／Ｆ８４、及びアンテナ素子１５が接続される無線処理回路８５を備える。ＣＰＵ８１、メモリ８２、記憶部８３、ネットワークＩ／Ｆ８４、及び無線処理回路８５は、バス８６を介して互いに接続される。
【００４９】
記憶部８３は、ＨＤＤ、ＳＳＤ、フラッシュメモリ等によって実現することができる。記憶媒体としての記憶部８３には、基地局制御プログラム９０が記憶される。また、記憶部８３は、予約テーブル４４及びデータ管理テーブル４６が記憶される情報記憶領域９１を有する。ＣＰＵ８１は、基地局制御プログラム９０を記憶部８３から読み出してメモリ８２に展開して実行する。ＣＰＵ８１が、基地局制御プログラム９０を実行することによって、図６に示す第１送信部３０、第１受信部３２、算出部３４、スケジューリング部３６、及び基地局制御部４０として機能する。第２受信部３８及び第２送信部４２は、無線処理回路８５によって実現される。
【００５０】
また、基地局制御プログラム９０により実現される機能は、例えば半導体集積回路、より詳しくはＡＳＩＣ等で実現することも可能である。
【００５１】
次に、図１４を参照して、ユーザ装置１６のハードウェア構成を説明する。図１４に示すように、ユーザ装置１６は、ＣＰＵ１０１、一時記憶領域としてのメモリ１０２、及び不揮発性の記憶部１０３を備える。また、ユーザ装置１６は、アンテナ素子５０が接続される無線処理回路１０４を備える。ＣＰＵ１０１、メモリ１０２、記憶部１０３、及び無線処理回路１０４は、バス１０５を介して互いに接続される。
【００５２】
記憶部１０３は、ＨＤＤ、ＳＳＤ、フラッシュメモリ等によって実現することができる。記憶媒体としての記憶部１０３には、端末制御プログラム１１０が記憶される。また、記憶部１０３は、接続確立情報５８が記憶される情報記憶領域１１１を有する。ＣＰＵ１０１は、端末制御プログラム１１０を記憶部１０３から読み出してメモリ１０２に展開して実行する。ＣＰＵ１０１が、端末制御プログラム１１０を実行することによって、図１１に示す端末制御部５４として機能する。受信部５２及び送信部５６は、無線処理回路１０４によって実現される。
【００５３】
また、端末制御プログラム１１０により実現される機能は、例えば半導体集積回路、より詳しくはＡＳＩＣ等で実現することも可能である。
【００５４】
次に、図１５〜図１９を参照して、本実施形態に係る通信システム１０の作用を説明する。制御装置１２が装置制御プログラム７０を実行することで、図１６に示す周期送信処理を実行する。また、基地局１４が基地局制御プログラム９０を実行することで、図１７に示すスケジューリング処理、図１８に示すデータ記憶処理、及び図１９に示すデータ送信処理を実行する。また、ユーザ装置１６が端末制御プログラム１１０を実行することで、図１５に示すステップＳ１４の記憶処理を実行する。
【００５５】
図１５に示すように、ユーザ装置１６は、位置登録要求を基地局１４に送信する。基地局１４は、ユーザ装置１６から送信された位置登録要求を受信すると、受信した位置登録要求を制御装置１２に送信する。制御装置１２は、基地局１４から送信された位置登録要求を受信すると、図１５に示すステップＳ１０で、図１６に示す周期送信処理を実行する。
【００５６】
図１６に示す周期送信処理のステップＳ２０で、判定部２２は、受信部２０により受信された位置登録要求に含まれるユーザ装置１６の識別情報が、ＵＥ管理テーブル２６のＵＥＩＤ列に記憶されているか否かを判定する。この判定が肯定判定となった場合は、処理はステップＳ２２に移行する。
【００５７】
ステップＳ２２で、判定部２２は、ユーザ装置１６の識別情報に対応して記憶されているグループの識別情報、フレーム周期、及び送信データのサイズをＵＥ管理テーブル２６から抽出する。次のステップＳ２４で、送信部２４は、ステップＳ２２で抽出されたグループの識別情報、フレーム周期、及び送信データのサイズを、ネットワークＩ／Ｆ６５を介して基地局１４に送信する。ステップＳ２４の処理が終了すると、本周期送信処理が終了する。一方、ステップＳ２０の判定が否定判定となった場合、ステップＳ２２及びステップＳ２４の処理は実行されずに、本周期送信処理が終了する。
【００５８】
基地局１４は、制御装置１２から送信されたグループの識別情報、フレーム周期、及び送信データのサイズを受信すると、図１５に示すステップＳ１２で、図１７に示すスケジューリング処理を実行する。
【００５９】
図１７に示すスケジューリング処理のステップＳ３０で、第１受信部３２は、制御装置１２から送信されたグループの識別情報、フレーム周期、及び送信データのサイズを、ネットワークＩ／Ｆ８４を介して受信する。次のステップＳ３２で、算出部３４は、ステップＳ３０で受信された送信データのサイズに基づいて、送信データの送信に必要なＲＢ数を算出する。ステップＳ３４で、スケジューリング部３６は、ステップＳ３０で受信されたグループの識別情報が、予約テーブル４４のグループＩＤ列に記憶されているか否かを判定する。この判定が否定判定となった場合は、処理はステップＳ３６に移行する。
【００６０】
ステップＳ３６で、スケジューリング部３６は、ステップＳ３２で算出されたＲＢ数以上のリソースブロックの空きがあるサブフレームのうち、使用可能な最も小さい番号のフレーム及びサブフレームを、処理対象ユーザ装置１６に割り当てる。また、スケジューリング部３６は、割り当てたサブフレーム内の空いている、ステップＳ３２で算出されたＲＢ数のリソースブロックを処理対象ユーザ装置１６に割り当てる。そして、スケジューリング部３６は、セルＩＤ、ステップＳ３０で受信されたフレーム周期、割り当てたフレームの番号、割り当てたサブフレームの番号、及び割り当てたリソースブロックの番号を対応付けて予約テーブル４４に記憶する。さらに、スケジューリング部３６は、処理対象ユーザ装置１６の識別情報、及びステップＳ３０で受信されたグループの識別情報も対応付けて予約テーブル４４に記憶する。ステップＳ３４の処理が終了すると、処理はステップＳ４６に移行する。
【００６１】
一方、ステップＳ３４の判定が肯定判定となった場合は、処理はステップＳ３８に移行する。ステップＳ３８で、スケジューリング部３６は、予約テーブル４４からステップＳ３０で受信されたグループの識別情報に対応するフレーム周期、フレームの番号、及びサブフレームの番号を抽出する。そして、スケジューリング部３６は、抽出したフレーム周期のフレーム内における抽出したサブフレームの番号のサブフレームに、ステップＳ３２で算出されたＲＢ数以上のリソースブロックの空きがあるか否かを判定する。この判定が肯定判定となった場合は、処理はステップＳ４０に移行する。
【００６２】
ステップＳ４０で、スケジューリング部３６は、ステップＳ３８で抽出されたサブフレームの番号のサブフレームの空いている、ステップＳ３２で算出されたＲＢ数のリソースブロックを処理対象ユーザ装置１６に割り当てる。そして、スケジューリング部３６は、セルＩＤ、ステップＳ３０で受信されたフレーム周期、割り当てたフレームの番号、割り当てたサブフレームの番号、及び割り当てたリソースブロックの番号を対応付けて予約テーブル４４に記憶する。さらに、スケジューリング部３６は、処理対象ユーザ装置１６の識別情報、及びステップＳ３０で受信されたグループの識別情報も対応付けて予約テーブル４４に記憶する。ステップＳ４０の処理が終了すると、処理はステップＳ４６に移行する。
【００６３】
一方、ステップＳ３８の判定が否定判定となった場合は、処理はステップＳ４２に移行する。ステップＳ４２で、スケジューリング部３６は、ステップＳ３８で抽出されたフレーム周期のフレーム内における抽出されたサブフレームの番号のサブフレームから所定の時間範囲内（例えば、同じフレーム内）のサブフレームについて以下の判定を行う。すなわち、この場合、スケジューリング部３６は、この所定の時間範囲内のサブフレームに、ステップＳ３２で算出されたＲＢ数以上のリソースブロックの空きがあるか否かを判定する。この判定が肯定判定となった場合は、処理はステップＳ４４に移行する。
【００６４】
ステップＳ４４で、スケジューリング部３６は、ステップＳ４２で空きがあると判定されたサブフレームのうち、ステップＳ３８で抽出されたサブフレームの番号に最も近い番号のサブフレームを割り当てる。また、スケジューリング部３６は、割り当てたサブフレーム内の空いている、ステップＳ３２で算出されたＲＢ数のリソースブロックを処理対象ユーザ装置１６に割り当てる。そして、スケジューリング部３６は、セルＩＤ、ステップＳ３０で受信されたフレーム周期、割り当てたフレームの番号、割り当てたサブフレームの番号、及び割り当てたリソースブロックの番号を対応付けて予約テーブル４４に記憶する。さらに、スケジューリング部３６は、処理対象ユーザ装置１６の識別情報、及びステップＳ３０で受信されたグループの識別情報も対応付けて予約テーブル４４に記憶する。ステップＳ４４の処理が終了すると、処理はステップＳ４６に移行する。
【００６５】
ステップＳ４６で、基地局制御部４０は、予約テーブル４４を参照し、処理対象ユーザ装置１６に対応するフレーム周期、フレームの番号、サブフレームの番号、及びリソースブロックの番号を含めた指示情報を生成する。また、基地局制御部４０は、前述したように、指示情報に、ＭＣＳ及び無線設定情報も含める。そして、基地局制御部４０は、RRC Connection Releaseを送信する際に、生成した指示情報を第２送信部４２に出力する。第２送信部４２は、基地局制御部４０から入力された指示情報に対して前述した送信信号処理を行い、指示情報を示すアナログ信号を、アンテナ素子１５を介して処理対象ユーザ装置１６に送信する。ステップＳ４６の処理が終了すると、本スケジューリング処理が終了する。
【００６６】
一方、ステップＳ４２の判定が否定判定となった場合は、処理はステップＳ４８に移行する。ステップＳ４８で、基地局制御部４０は、リソースの割り当てが失敗したことを示す情報を、第２送信部４２に出力する。第２送信部４２は、基地局制御部４０から入力された情報に対して前述した送信信号処理を行い、リソースの割り当てが失敗したことを示す情報を示すアナログ信号を、アンテナ素子１５を介して処理対象ユーザ装置１６に送信する。ステップＳ４８の処理が終了すると、本スケジューリング処理が終了する。
【００６７】
ユーザ装置１６の受信部５２は、RRC Connection Releaseにて基地局１４から送信された指示情報を示すアナログ信号を、アンテナ素子５０を介して受信する。受信部５２は、受信したアナログ信号に対して前述した受信信号処理を行い、指示情報を端末制御部５４に出力する。図１５に示すステップＳ１４で、端末制御部５４は、受信部５２から入力された指示情報に含まれるフレーム周期、フレームの番号、サブフレームの番号、リソースブロックの番号、ＭＣＳ、及び無線設定情報を接続確立情報５８として記憶部１０３に記憶する。
【００６８】
各ユーザ装置１６は、以上の処理により記憶された接続確立情報５８に含まれる各種情報に従った送信タイミングで、送信データを定期的に基地局１４に送信する。基地局１４は、ユーザ装置１６から送信された送信データを受信すると、図１８に示すデータ記憶処理を実行する。
【００６９】
図１８に示すデータ記憶処理のステップＳ６０で、基地局制御部４０は、受信した送信データに対応するフレームの番号及びサブフレームの番号が予約テーブル４４に記憶されているか否かを判定する。この判定が肯定判定となった場合は、処理はステップＳ６２に移行する。
【００７０】
ステップＳ６２で、基地局制御部４０は、予約テーブル４４から、受信した送信データに対応するフレームの番号とサブフレームとの番号に対応するリソースブロックの番号を抽出する。また、基地局制御部４０は、受信した送信データから、抽出したリソースブロックの番号のリソースブロックに格納された送信データを抽出する。
【００７１】
次のステップＳ６４で、基地局制御部４０は、抽出した送信データを、送信元のユーザ装置１６の識別情報、送信元のユーザ装置１６が属するグループの識別情報、及び送信データを受信した受信日時と対応付けてデータ管理テーブル４６に記憶する。ステップＳ６４の処理が終了すると、本データ記憶処理が終了する。一方、ステップＳ６０の判定が否定判定となった場合は、ステップＳ６２及びステップＳ６４の処理は実行されずに、本データ記憶処理が終了する。
【００７２】
管理サーバ１８は、定期的なタイミング等の所定のタイミングで、送信データの取得要求をユーザ装置１６が属するグループ毎に、制御装置１２を経由して基地局１４に送信する。基地局１４は、管理サーバ１８から送信された取得要求を受信すると、図１９に示すデータ送信処理を実行する。
【００７３】
図１９に示すデータ送信処理のステップＳ７０で、第１受信部３２は、管理サーバ１８から送信された取得要求を、ネットワークＩ／Ｆ８４を介して受信する。次のステップＳ７２で、第１送信部３０は、ステップＳ７２で受信された取得要求に含まれるグループの識別情報が示すグループに対応付けられてデータ管理テーブル４６の送信データ列に記憶された送信データを抽出する。
【００７４】
ステップＳ７４で、第１送信部３０は、ステップＳ７２で抽出された送信データをまとめて圧縮して、制御装置１２を経由して管理サーバ１８に送信する。管理サーバ１８は、基地局１４から送信された圧縮された送信データを受信すると、送信データの受信が完了したことを示す応答を、制御装置１２を経由して基地局１４に送信する。そこで、ステップＳ７６で、第１受信部３２は、ステップＳ７４で送信データが送信されてから所定期間内に、管理サーバ１８からの応答を受信したか否かを判定する。この判定が肯定判定となった場合は、処理はステップＳ７８に移行する。
【００７５】
ステップＳ７８で、基地局制御部４０は、ステップＳ７４で送信された送信データを含むレコードを、データ管理テーブル４６から削除する。ステップＳ７８の処理が終了すると、本データ送信処理が終了する。一方、ステップＳ７６の判定が否定判定となった場合、ステップＳ７８の処理は実行されずに、本データ送信処理が終了する。
【００７６】
以上説明したように、本実施形態によれば、基地局１４は、グループに属するユーザ装置１６を、各グループ内での送信タイミングの差が最小となるようにスケジューリングを行う。そして、一例として図２０の上段に示すように、無線通信の接続を解放する際に、スケジューリングに従った無線通信の接続の確立に必要な各種情報をユーザ装置１６に送信する。なお、図２０における「☆」はPUCCH上の通信を表し、「★」はPUSCH上の通信を表す。
【００７７】
すなわち、一例として図２０の下段に示すように、ユーザ装置１６は、送信データを送信する際は、予め得られた無線通信の接続の確立に必要な各種情報（本実施形態では、接続確立情報５８）を用いることによって、無線通信の接続確立手順を簡略化して送信データを基地局１４に送信する。具体的には、図２に示した処理シーケンスでは、データの送信タイミングが到来してからユーザ装置がデータを送信するまでに、PUCCH上の通信が５回必要であり、PUSCH上の通信が７回必要であった。これに対し、本実施形態では、図２０の下段に示すように、データの送信タイミングが到来してからユーザ装置がデータを送信するまでに必要な通信が、PUSCH上の通信の１回となる。従って、ユーザ装置１６がデータの送信を開始する際の遅延時間を低減することができる。さらに、ユーザ装置１６の消費電力を低減することもできる。
【００７８】
［第２実施形態］
本実施形態では、送信データの送信周期及びサイズ等をユーザ装置が決定する形態例について説明する。なお、本実施形態に係る通信システムの構成は第１実施形態（図３参照）と同様であるため、説明を省略する。
【００７９】
次に、図２１を参照して、本実施形態に係るユーザ装置１６の機能的な構成を説明する。なお、第１実施形態に係るユーザ装置１６（図１１参照）と同一の機能を有する構成要素については、同一の符号を付して説明を省略する。
【００８０】
本実施形態に係る端末制御部５４Ａは、第１実施形態に係る端末制御部５４が有する機能に加えて、以下の機能を有する。端末制御部５４Ａは、定期的な送信データを送信する要求を示す要求情報を、送信部５６に出力する。本実施形態では、端末制御部５４Ａは、要求情報に、送信データを送信する周期、送信データのサイズ、及びユーザ装置１６が属するグループの識別情報を含める。
【００８１】
次に、図２２を参照して、本実施形態に係る基地局１４の機能的な構成を説明する。なお、第１実施形態に係る基地局１４（図６参照）と同一の機能を有する構成要素については、同一の符号を付して説明を省略する。
【００８２】
図２２に示すように、基地局１４の所定の記憶領域には、ＵＥ管理テーブル４８が記憶される。図２３に、ＵＥ管理テーブル４８の一例を示す。図２３に示すように、ＵＥ管理テーブル４８には、ＵＥＩＤ、許可フラグ、及び上限サイズが記憶される。ＵＥＩＤ列には、ユーザ装置１６を識別するための識別情報が記憶される。許可フラグ列には、ユーザ装置１６が定期的に送信データを送信することを許可するか否かを示す情報が記憶される。上限サイズ列には、ユーザ装置１６に許可する送信データの上限サイズが記憶される。
【００８３】
本実施形態に係る基地局制御部４０Ａは、第１実施形態に係る基地局制御部４０が有する機能に加えて、以下の機能を有する。基地局制御部４０Ａは、ＵＥ管理テーブル４８を参照し、要求情報の送信元のユーザ装置１６の識別情報に対応する許可フラグが、許可であることを示す情報であるか否かを判定する。また、基地局制御部４０Ａは、ＵＥ管理テーブル４８を参照し、要求情報に含まれる送信データのサイズが、要求情報の送信元のユーザ装置１６に対応してＵＥ管理テーブル４８の上限サイズ列に記憶された上限サイズ以下であるか否かを判定する。
【００８４】
算出部３４Ａは、基地局制御部４０Ａにより許可フラグが許可であることを示す情報であると判定され、かつ要求情報に含まれる送信データのサイズが上限サイズ以下であると判定された場合、以下に示す処理を行う。すなわち、この場合、算出部３４Ａは、要求情報に含まれる送信データのサイズに基づいて、送信データの送信に必要なＲＢ数を算出する。
【００８５】
スケジューリング部３６は、第１実施形態における制御装置１２から送信されたグループの識別情報及びフレーム周期と、算出部３４により算出されたＲＢ数とに代えて、以下に示す情報を用いて、第１実施形態と同様にスケジューリングを行う。すなわち、この場合、スケジューリング部３６は、要求情報に含まれるグループの識別情報及びフレーム周期と、算出部３４Ａにより算出されたＲＢ数とを用いて、第１実施形態と同様にスケジューリングを行う。
【００８６】
本実施形態に係る制御装置１２、基地局１４、及びユーザ装置１６の各々のハードウェア構成は、第１実施形態と同様（図１２〜図１４参照）であるため、説明を省略する。
【００８７】
次に、図２４及び図２５を参照して、本実施形態に係る通信システム１０の作用を説明する。基地局１４が基地局制御プログラム９０を実行することで、図２５に示すスケジューリング処理を実行する。なお、図２４における図１５と同一の処理を実行するステップについては、図１５と同一のステップ番号を付して説明を省略する。また、図２５における図１７と同一の処理を実行するステップについては、図１７と同一のステップ番号を付して説明を省略する。
【００８８】
図２４に示すように、ユーザ装置１６は、前述したように、送信データを送信する周期、送信データのサイズ、及びユーザ装置１６が属するグループの識別情報を含む要求情報を、アンテナ素子５０を介して基地局１４に送信する。基地局１４は、ユーザ装置１６から送信された要求情報を受信すると、図２４に示すステップＳ１２Ａで、図２５に示すスケジューリング処理を実行する。
【００８９】
図２５に示すスケジューリング処理のステップＳ３１Ａで、基地局制御部４０Ａは、ＵＥ管理テーブル４８を参照し、要求情報の送信元のユーザ装置１６の識別情報に対応する許可フラグが、許可であることを示す情報であるか否かを判定する。この判定が肯定判定となった場合は、処理はステップＳ３１Ｂに移行し、否定判定となった場合は、処理はステップＳ５０に移行する。
【００９０】
ステップＳ５０で、基地局制御部４０Ａは、定期的な送信データの送信が不許可であることを示すエラー情報を第２送信部４２に出力する。第２送信部４２は、基地局制御部４０から入力されたエラー情報に対して前述した送信信号処理を行い、エラー情報を示すアナログ信号を、アンテナ素子１５を介して要求情報の送信元のユーザ装置１６に送信する。ステップＳ５０の処理が終了すると、本スケジューリング処理が終了する。
【００９１】
一方、ステップＳ３１Ｂで、基地局制御部４０Ａは、ＵＥ管理テーブル４８を参照し、要求情報に含まれる送信データのサイズが、要求情報の送信元のユーザ装置１６に対応して上限サイズ列に記憶された上限サイズ以下であるか否かを判定する。この判定が否定判定となった場合は、処理はステップＳ５２に移行する。
【００９２】
ステップＳ５２で、基地局制御部４０Ａは、送信データのサイズが上限サイズを超えていることを示すエラー情報を第２送信部４２に出力する。第２送信部４２は、基地局制御部４０から入力されたエラー情報に対して前述した送信信号処理を行い、エラー情報を示すアナログ信号を、アンテナ素子１５を介して要求情報の送信元のユーザ装置１６に送信する。ステップＳ５２の処理が終了すると、本スケジューリング処理が終了する。
【００９３】
一方、ステップＳ３１Ｂの判定が肯定判定となった場合は、処理はステップＳ３２Ａに移行する。ステップＳ３２Ａで、算出部３４Ａは、要求情報に含まれる送信データのサイズに基づいて、送信データの送信に必要なＲＢ数を算出する。ステップＳ３４以降については、前述したように、要求情報に含まれるグループの識別情報及びフレーム周期と、ステップＳ３２Ａで算出されたＲＢ数とを用いて、第１実施形態と同様の処理が行われるため、説明を省略する。
【００９４】
以上説明したように、本実施形態によれば、第１実施形態と同様の効果を奏することができる。
【００９５】
なお、上記第１実施形態では、送信データのサイズが予めＵＥ管理テーブル２６に記憶されている場合について説明したが、これに限定されない。例えば、過去にユーザ装置１６から送信された送信データの最大サイズを、ＵＥ管理テーブル２６に記憶する形態としてもよい。同様に、上記第２実施形態においても、過去にユーザ装置１６から送信された送信データの最大サイズからＲＢ数を算出してもよい。
【００９６】
また、上記各実施形態において、予約テーブル４４を定期的に修正してもよい。この場合、各グループ内において送信データの送信タイミングの差が最小となるように、各ユーザ装置１６にリソースを再割り当てし、予約テーブル４４のフレーム番号、サブフレーム番号、及びリソースブロックの番号を更新する形態が例示される。
【００９７】
また、上記各実施形態では、無線通信の接続を解放する際に指示情報をユーザ装置１６に送信する場合について説明したが、これに限定されない。例えば、定期的に、指示情報をユーザ装置１６に送信する形態としてもよい。
【００９８】
また、上記各実施形態では、装置制御プログラム７０が、記憶部６３に予め記憶（インストール）されている態様を説明したが、これに限定されない。装置制御プログラム７０は、ＣＤ−ＲＯＭ、ＤＶＤ−ＲＯＭ、ＵＳＢメモリ、メモリカード等の記録媒体に記録された形態で提供することも可能である。
【００９９】
また、上記各実施形態では、基地局制御プログラム９０が、記憶部８３に予め記憶されている態様を説明したが、これに限定されない。基地局制御プログラム９０は、ＣＤ−ＲＯＭ、ＤＶＤ−ＲＯＭ、ＵＳＢメモリ、メモリカード等の記録媒体に記録された形態で提供することも可能である。
【０１００】
また、上記各実施形態では、端末制御プログラム１１０が、記憶部１０３に予め記憶されている態様を説明したが、これに限定されない。端末制御プログラム１１０は、ＣＤ−ＲＯＭ、ＤＶＤ−ＲＯＭ、ＵＳＢメモリ、メモリカード等の記録媒体に記録された形態で提供することも可能である。
【０１０１】
以上の各実施形態に関し、更に以下の付記を開示する。
【０１０２】
（付記１）
複数のグループの何れかのグループに属し、かつ定期的にデータを送信する複数のユーザ装置それぞれからのデータの送信タイミングを、同じグループに属するユーザ装置の送信タイミングが所定の時間範囲内となるように、グループ毎にスケジューリングするスケジューリング部と、
前記スケジューリング部によるスケジューリングに従った送信タイミングでのデータの送信指示を示す指示情報を前記複数のユーザ装置に送信する送信部と、
を含む基地局。
【０１０３】
（付記２）
前記送信部は、自基地局に接続するユーザ装置との無線通信の接続を解放する際に前記解放対象とするユーザ装置に前記指示情報を送信する、
付記１に記載の基地局。
【０１０４】
（付記３）
過去にユーザ装置から送信されたデータの最大サイズから、定期的なデータの送信に必要なリソースブロックの数を算出する算出部、
を更に含み、
前記スケジューリング部は、前記算出部により算出されたリソースブロックの数以上のリソースブロックの空きがあるサブフレームのうち、同じグループに属するユーザ装置に対してデータの送信タイミングの差が最小となるサブフレームを割り当てる、
付記１又は付記２に記載の基地局。
【０１０５】
（付記４）
前記スケジューリング部は、ユーザ装置から送信されたユーザ装置が属するグループを識別するための識別情報、定期的なデータの送信周期、及び定期的に送信するデータのサイズに基づいてスケジューリングを行う、
付記１から付記３の何れか１項に記載の基地局。
【０１０６】
（付記５）
複数のグループの何れかのグループに属し、かつ定期的にデータを送信する複数のユーザ装置それぞれからのデータの送信タイミングを、同じグループに属するユーザ装置の送信タイミングが所定の時間範囲内となるように、グループ毎にスケジューリングし、
前記スケジューリングに従った送信タイミングでのデータの送信指示を示す指示情報を前記複数のユーザ装置に送信する、
処理を基地局が実行する通信方法。
【０１０７】
（付記６）
自基地局に接続するユーザ装置との無線通信の接続を解放する際に前記解放対象とするユーザ装置に前記指示情報を送信する、
付記５に記載の通信方法。
【０１０８】
（付記７）
過去にユーザ装置から送信されたデータの最大サイズから、定期的なデータの送信に必要なリソースブロックの数を算出し、
算出したリソースブロックの数以上のリソースブロックの空きがあるサブフレームのうち、同じグループに属するユーザ装置に対してデータの送信タイミングの差が最小となるサブフレームを割り当てる、
付記５又は付記６に記載の通信方法。
【０１０９】
（付記８）
ユーザ装置から送信されたユーザ装置が属するグループを識別するための識別情報、定期的なデータの送信周期、及び定期的に送信するデータのサイズに基づいてスケジューリングを行う、
付記５から付記７の何れか１項に記載の通信方法。
【０１１０】
（付記９）
複数のグループの何れかのグループに属し、かつ定期的にデータを送信する複数のユーザ装置それぞれからのデータの送信タイミングを、同じグループに属するユーザ装置の送信タイミングが所定の時間範囲内となるように、グループ毎にスケジューリングするスケジューリング部と、前記スケジューリング部によるスケジューリングに従った送信タイミングでのデータの送信指示を示す指示情報を前記複数のユーザ装置に送信する送信部と、を含む基地局、及び
前記基地局から送信された指示情報を受信する受信部と、前記受信部により受信された指示情報に従った送信タイミングで前記データを前記基地局に送信する送信部と、を含むユーザ装置、
を備えた通信システム。
【符号の説明】
【０１１１】
１０  通信システム
１２  制御装置
１４  基地局
１６Ａ〜１６Ｄ  ユーザ装置
１８  管理サーバ
２０、５２  受信部
２２  判定部
２４  送信部
２６、４８  ＵＥ管理テーブル
３０  第１送信部
３２  第１受信部
３４、３４Ａ  算出部
３６  スケジューリング部
３８  第２受信部
４０、４０Ａ  基地局制御部
４２  第２送信部
４４  予約テーブル
４６  データ管理テーブル
５４、５４Ａ  端末制御部
５６  送信部
５８  接続確立情報
６１、８１、１０１  ＣＰＵ
６２、８２、１０２  メモリ
６３、８３、１０３  記憶部
７０  装置制御プログラム
８５、１０４  無線処理回路
９０  基地局制御プログラム
９１  情報記憶領域
１１０  端末制御プログラム
【図１】
2018191110.tif 000003
【図２】
2018191110.tif 000004
【図３】
2018191110.tif 000005
【図４】
2018191110.tif 000006
【図５】
2018191110.tif 000007
【図６】
2018191110.tif 000008
【図７】
2018191110.tif 000009
【図８】
2018191110.tif 000010
【図９】
2018191110.tif 000011
【図１０】
2018191110.tif 000012
【図１１】
2018191110.tif 000013
【図１２】
2018191110.tif 000014
【図１３】
2018191110.tif 000015
【図１４】
2018191110.tif 000016
【図１５】
2018191110.tif 000017
【図１６】
2018191110.tif 000018
【図１７】
2018191110.tif 000019
【図１８】
2018191110.tif 000020
【図１９】
2018191110.tif 000021
【図２０】
2018191110.tif 000022
【図２１】
2018191110.tif 000023
【図２２】
2018191110.tif 000024
【図２３】
2018191110.tif 000025
【図２４】
2018191110.tif 000026
【図２５】
2018191110.tif 000027